(57)【要約】【課題】  デュアルインジェクションシステムにおいて、燃料挙動を表すパラメータの値を精度良く推定し、空燃比を狙いとする値に適切に一致させること。【解決手段】  この燃料噴射量制御装置は、ポート噴射弁と筒内噴射弁とを気筒毎に備えたデュアルインジェクションシステムを備えた内燃機関に適用される。この装置は、吸気通路における燃料挙動を表すパラメータ（Pp,Rp,Pv,Rv）の値を、上記燃料挙動に大きく影響を与える因子であるポート噴射割合Ｒに基づく補正係数（KPp,KRp,KPv,KRv）を所定の基本テーブルから得られる値に乗じることで精度良く決定する。そして、係るパラメータの値を用いて吸気通路構成部材への燃料付着量を精度良く推定するとともに、同推定された燃料付着量に基づいてポート噴射弁から噴射される燃料の量を決定する。これにより、機関に供給される混合気の空燃比を狙いとする値に適切に一致させることができる。【選択図】  図５
2006322404.tif 000002
【特許請求の範囲】
【請求項１】
内燃機関の吸気弁よりも上流の吸気通路に燃料を噴射するポート噴射手段と、
燃焼室内に燃料を噴射する筒内噴射手段と、
を備えた内燃機関に適用される内燃機関の燃料噴射量制御装置であって、
前記ポート噴射手段から噴射される燃料の量であるポート噴射量と前記筒内噴射手段から噴射される燃料の量である筒内噴射量の割合である噴射割合を前記内燃機関の運転状態に基づいて決定する噴射割合決定手段と、
前記吸気通路における燃料の挙動を表すパラメータである吸気通路側パラメータの値を少なくとも前記決定された噴射割合に基づいて決定する吸気通路側パラメータ決定手段と、
前記ポート噴射手段による噴射により前記吸気通路を構成する部材に付着している実際の燃料付着量である吸気通路側実燃料付着量を前記決定された吸気通路側パラメータを使用して推定する吸気通路側実燃料付着量推定手段と、
前記決定された噴射割合と、前記推定された吸気通路側実燃料付着量とに基づいて前記ポート噴射量を決定するポート噴射量決定手段と、
前記決定された噴射割合に基づいて前記筒内噴射量を決定する筒内噴射量決定手段と、
を備えた内燃機関の燃料噴射量制御装置。
【請求項２】
内燃機関の吸気弁よりも上流の吸気通路に燃料を噴射するポート噴射手段と、
燃焼室内に燃料を噴射する筒内噴射手段と、
を備えた内燃機関に適用される内燃機関の燃料噴射量制御装置であって、
前記ポート噴射手段から噴射される燃料の量であるポート噴射量と前記筒内噴射手段から噴射される燃料の量である筒内噴射量の割合である噴射割合を前記内燃機関の運転状態に基づいて決定する噴射割合決定手段と、
前記燃焼室内における燃料の挙動を表すパラメータである筒内側パラメータの値を少なくとも前記決定された噴射割合に基づいて決定する筒内側パラメータ決定手段と、
前記筒内噴射手段による噴射により前記燃焼室を構成する部材に付着している実際の燃料付着量である筒内側実燃料付着量を前記決定された筒内側パラメータを使用して推定する筒内側実燃料付着量推定手段と、
前記決定された噴射割合に基づいて前記ポート噴射量を決定するポート噴射量決定手段と、
前記決定された噴射割合と、前記推定された筒内側実燃料付着量とに基づいて前記筒内噴射量を決定する筒内噴射量決定手段と、
を備えた内燃機関の燃料噴射量制御装置。
【請求項３】
内燃機関の吸気弁よりも上流の吸気通路に燃料を噴射するポート噴射手段と、
燃焼室内に燃料を噴射する筒内噴射手段と、
を備えた内燃機関に適用される内燃機関の燃料噴射量制御装置であって、
前記ポート噴射手段から噴射される燃料の量であるポート噴射量と前記筒内噴射手段から噴射される燃料の量である筒内噴射量の割合である噴射割合を前記内燃機関の運転状態に基づいて決定する噴射割合決定手段と、
前記吸気通路における燃料の挙動を表すパラメータである吸気通路側パラメータの値を少なくとも前記決定された噴射割合に基づいて決定する吸気通路側パラメータ決定手段と、
前記ポート噴射手段による噴射により前記吸気通路を構成する部材に付着している実際の燃料付着量である吸気通路側実燃料付着量を前記決定された吸気通路側パラメータを使用して推定する吸気通路側実燃料付着量推定手段と、
前記決定された噴射割合と、前記推定された吸気通路側実燃料付着量とに基づいて前記ポート噴射量を決定するポート噴射量決定手段と、
前記燃焼室内における燃料の挙動を表すパラメータである筒内側パラメータの値を少なくとも前記決定された噴射割合に基づいて決定する筒内側パラメータ決定手段と、
前記筒内噴射手段による噴射により前記燃焼室を構成する部材に付着している実際の燃料付着量である筒内側実燃料付着量を前記決定された筒内側パラメータを使用して推定する筒内側実燃料付着量推定手段と、
前記決定された噴射割合と、前記推定された筒内側実燃料付着量とに基づいて前記筒内噴射量を決定する筒内噴射量決定手段と、
を備えた内燃機関の燃料噴射量制御装置。
【請求項４】
請求項１又は請求項３に記載の内燃機関の燃料噴射量制御装置において、
前記吸気通路側パラメータ決定手段は、前記吸気通路側パラメータとして、
前記ポート噴射手段から噴射される燃料のうち前記吸気通路構成部材へ付着する燃料の割合を表す吸気通路側付着率と、前記吸気通路構成部材に付着している燃料のうち同吸気通路構成部材に付着したまま残留する燃料の割合を表す吸気通路側残留率とを使用し、前記吸気通路側付着率と前記吸気通路側残留率とを、前記決定された前記噴射割合により表される前記ポート噴射量と前記筒内噴射量の和に対する同ポート噴射量の割合が小さいほどより小さい値に決定するように構成され、
前記吸気通路側実燃料付着量推定手段は、前記吸気通路側パラメータ決定手段により決定された前記吸気通路側付着率と前記吸気通路側残留率とを使用して前記吸気通路側実燃料付着量を推定するように構成された内燃機関の燃料噴射量制御装置。
【請求項５】
請求項２又は請求項３に記載の内燃機関の燃料噴射量制御装置であって、
少なくとも前記決定された噴射割合に基づいて前記燃焼室内の温度である筒内温度を取得する筒内温度取得手段を更に備え、
前記筒内側パラメータ決定手段は、前記筒内側パラメータの値を少なくとも前記取得された筒内温度に基づいて決定するように構成された内燃機関の燃料噴射量制御装置。
【請求項６】
請求項５に記載の内燃機関の燃料噴射量制御装置において、
前記筒内側パラメータ決定手段は、前記筒内側パラメータとして、
前記筒内噴射手段から噴射される燃料のうち前記燃焼室構成部材へ付着する燃料の割合を表す筒内側付着率と、前記燃焼室構成部材に付着している燃料のうち同燃焼室構成部材に付着したまま残留する燃料の割合を表す筒内側残留率とを使用し、前記筒内側付着率と前記筒内側残留率とを前記筒内温度が高いほどより小さい値に決定するように構成され、
前記筒内側実燃料付着量推定手段は、前記筒内側パラメータ決定手段により決定された前記筒内側付着率と前記筒内側残留率とを使用して前記筒内側実燃料付着量を推定するように構成された内燃機関の燃料噴射量制御装置。
【請求項７】
請求項５又は請求項６に記載の内燃機関の燃料噴射量制御装置であって、
予め設定された複数の燃焼モードの中から実際に採用される燃焼モードを前記内燃機関の運転状態に基づいて選択する燃焼モード選択手段を更に備え、
前記筒内温度取得手段は、前記選択された燃焼モードにも基づいて前記筒内温度を取得するように構成された内燃機関の燃料噴射量制御装置。
【発明の詳細な説明】
【技術分野】
【０００１】
本発明は、内燃機関の燃料噴射量制御装置に関する。
【背景技術】
【０００２】
内燃機関（以下、「機関」と称呼することもある。）の吸気弁よりも上流の吸気通路に備えられた燃料噴射弁（以下、「ポート噴射弁」と称呼する。）から吸気ポートに噴射された燃料は、その一部が吸気系（具体的には、吸気ポートの壁面、吸気弁の傘部等。以下、「吸気通路構成部材」と総称する。）に付着する。
【０００３】
従って、機関に供給される混合気の空燃比を狙いとする空燃比に一致させるためには、係る吸気通路における燃料の付着挙動を推定し、同燃料の付着を考慮しながら吸気ポートに噴射すべき燃料の量（以下、「ポート噴射量」と称呼する。）を決定する必要がある。
【０００４】
このため、例えば、下記特許文献１に記載されている内燃機関の制御装置は、吸気通路構成部材の付着率、及び付着している燃料の残留率等、吸気通路における燃料の挙動を表すパラメータを用いた燃料挙動シミュレーションモデル（燃料挙動モデル）を利用して吸気通路構成部材への燃料付着量を推定し、推定した燃料付着量に応じて上記ポート噴射量を決定するようになっている。
【特許文献１】特開平９−３０３１７３号公報
【０００５】
ここで、上記燃料の挙動は、機関の運転状態に応じて変動する。従って、一般に、上記燃料の挙動を表すパラメータは、上記燃料の挙動に影響を与える機関の運転速度（エンジン回転速度）、燃焼室に吸入される空気量（筒内吸入空気量）、機関の冷却水の温度（冷却水温）等の因子を引数とするテーブル検索により決定されるようになっている。
【０００６】
ところで、近年、燃焼効率の向上、低燃費化、機関始動時の始動性の確保等のために、上記ポート噴射弁と、燃焼室内（以下、「筒内」と称呼することもある。）に燃料を直接噴射する燃料噴射弁（以下、「筒内噴射弁」と称呼する。）とを共に備えた内燃機関が開発されてきている（例えば、特開２００４−６０４７４号等を参照。）。
【０００７】
以下、このように、気筒毎にポート噴射弁と筒内噴射弁の２つの燃料噴射弁を備えたシステムを「デュアルインジェクションシステム」と呼ぶ。また、筒内噴射弁から噴射される燃料の量を「筒内噴射量」と呼ぶことにする。
【０００８】
係るデュアルインジェクションシステムでは、上記ポート噴射弁から吸気ポートに噴射された燃料の一部が吸気通路構成部材に付着するのと同様に、上記筒内噴射弁から筒内に噴射された燃料の一部が燃焼室内の壁面（具体的には、シリンダの壁面、ピストン上面等。以下、「燃焼室構成部材」と総称する。）に付着する。
【０００９】
従って、係るデュアルインジェクションシステムでは、筒内に噴射された燃料についても、上述した燃料挙動モデルと同様のモデル、即ち、上記燃焼室内における燃料の挙動を表すパラメータを用いた燃料挙動モデルを利用して、筒内噴射量を決定する技術が開発されてきている。これにより、デュアルインジェクションシステムでも、内燃機関に供給される混合気の空燃比を、狙いとする空燃比に一致せしめることが期待できる。
【００１０】
ところが、本発明者は、種々の研究、実験を重ねた結果、デュアルインジェクションシステムにおいて、上述した燃料挙動に影響を与える因子以外に、同燃料挙動に大きく影響を与える新たな因子として、ポート噴射量と筒内噴射量の割合である噴射割合が存在することを見出した。
【００１１】
即ち、デュアルインジェクションシステムにおいて、上述した噴射割合が引数として含まれていないテーブル検索により燃料挙動を表すパラメータが決定される燃料挙動モデルを上記ポート噴射弁及び上記筒内噴射弁より噴射される燃料に適用すると、上記噴射割合に依存して同燃料の挙動を表すパラメータの決定において推定誤差が生じ得る。
【００１２】
この結果、上記燃料挙動モデルにより推定される燃料の付着量においても、推定誤差が生じ得る。この結果、内燃機関に供給される混合気の空燃比を狙いとする空燃比に一致させることができず、エミッションの排出量が大きくなる場合があるという問題があった。
【発明の開示】
【００１３】
本発明の目的は、デュアルインジェクションシステムにおいて、燃料の挙動を表すパラメータを精度良く推定し、内燃機関に供給される混合気の空燃比を狙いとする空燃比に適切に一致させることができる内燃機関の燃料噴射量制御装置を提供することにある。
【００１４】
本発明に係る燃料噴射量制御装置は、上述したデュアルインジェクションシステム、即ち、吸気弁よりも上流の吸気通路に燃料を噴射するポート噴射手段（ポート噴射弁）と、燃焼室内に燃料を噴射する筒内噴射手段（筒内噴射弁）とを備えた内燃機関に適用される。
【００１５】
上記本発明に係る第１の燃料噴射量制御装置は、噴射割合決定手段と、吸気通路側パラメータ決定手段と、吸気通路側実燃料付着量推定手段と、ポート噴射量決定手段と、筒内噴射量決定手段とを備える。以下、各手段の作用について順に説明する。
【００１６】
噴射割合決定手段は、ポート噴射量と筒内噴射量の割合である噴射割合を内燃機関の運転状態に基づいて決定する。ここにいう「運転状態」としては、例えば、機関の運転速度（エンジン回転速度）、燃焼室に吸入される空気量（筒内吸入空気量）、機関の冷却水の温度（冷却水温）等が挙げられる。これにより、噴射割合が時々刻々と変化し得る機関の運転状態に応じた適切な値に決定されていく。
【００１７】
吸気通路側パラメータ決定手段は、少なくとも前記噴射割合決定手段により決定された噴射割合に基づいて、前記吸気通路における燃料の挙動を表すパラメータである吸気通路側パラメータを決定する。
【００１８】
これにより、吸気通路側パラメータは、上述のように、吸気通路における燃料の挙動に大きく影響を与える因子である上記により決定された噴射割合に基づいて精度良く決定され得る。また、上記吸気通路側パラメータは、一般には、上述した機関の運転速度（エンジン回転速度）、燃焼室に吸入される空気量（筒内吸入空気量）、機関の冷却水の温度（冷却水温）等にも基づいて決定される。
【００１９】
吸気通路側実燃料付着量推定手段は、前記ポート噴射手段による噴射により吸気通路構成部材に付着している実際の燃料付着量である吸気通路側実燃料付着量を、上述のように決定された吸気通路側パラメータを使用して推定する。
【００２０】
ポート噴射量決定手段は、前記噴射割合決定手段により決定される噴射割合と、前記吸気通路側実燃料付着量推定手段より推定された吸気通路側実燃料付着量に基づいてポート噴射量を決定する。また、筒内噴射量決定手段は、前記噴射割合決定手段により決定される噴射割合に基づいて筒内噴射量を決定する。
【００２１】
これにより、上記本発明に係る第１の燃料噴射量制御装置によれば、少なくとも、上述のように精度良く決定され得る吸気通路側パラメータを使用して吸気通路側実燃料付着量を精度良く推定し、同吸気通路側実燃料付着量を考慮しながらポート噴射量が決定されていく。この結果、内燃機関に供給される混合気の空燃比を狙いとする空燃比に適切に一致せしめることが可能となる。
【００２２】
ここで、上記ポート噴射量決定手段及び上記筒内噴射量決定手段は、例えば、「ポート噴射量と上記吸気通路側実燃料付着量とから得られる吸気通路から筒内に流入する燃料の量（即ち、実際に筒内で燃焼する燃料の量。）」と、筒内噴射量との和が、機関の運転状態（筒内吸入空気量）と目標空燃比とに基づいて取得され得る「同機関に供給される混合気の空燃比を同目標空燃比に一致させるために噴射すべき燃料の量（基本燃料噴射量）」と一致するように同ポート噴射量と、同筒内噴射量とを決定する。
【００２３】
また、後述するように、筒内における燃料の付着挙動も考案される場合、上記ポート噴射量決定手段及び上記筒内噴射量決定手段は、例えば、上記「吸気通路から筒内に流入する燃料の量」と、後述する「筒内噴射量と筒内側実燃料付着量とから得られる実際に筒内で燃焼する燃料の量」との和が上記基本燃料噴射量と一致するように上記ポート噴射量と、同筒内噴射量とを決定する。
【００２４】
ところで、一般に、吸気通路における燃料挙動を表すパラメータとして、ポート噴射手段から噴射される燃料のうち前記吸気通路構成部材へ付着する燃料の割合を表す吸気通路側付着率と、前記吸気通路構成部材に付着している燃料のうち同吸気通路構成部材に付着したまま残留する燃料の割合を表す吸気通路側残留率とが使用される場合が多い。
【００２５】
この場合において、本発明者は、前記吸気通路側付着率と前記吸気通路側残留率とを前記決定された噴射割合に基づいて決定するに際し、同吸気通路側付着率と同吸気通路側残留率とを、同噴射割合により表される「ポート噴射量と筒内噴射量の和に対する同ポート噴射量の割合（以下、「ポート噴射割合」と称呼する。）」が小さいほどより小さい値に決定することが好適であることを見出した。
【００２６】
これは、上記ポート噴射割合が小さくなるほど、ポート噴射量が一般に小さくなって上記吸気通路側実燃料付着量が小さくなることにより、前記吸気通路構成部材へ付着している燃料の液膜の厚さが小さくなることに起因すると考えられる（詳細は、後述する。）。
【００２７】
以上より、この場合、前記吸気通路側燃料挙動パラメータ決定手段は、前記吸気通路側付着率と前記吸気通路側残留率とを上記ポート噴射割合が小さいほどより小さい値に決定するように構成され、前記吸気通路側実燃料付着量推定手段は、前記吸気通路側燃料挙動パラメータ決定手段により決定された前記吸気通路側付着率と前記吸気通路側残留率とを使用して前記吸気通路側実燃料付着量を推定するように構成されることが好適である。
【００２８】
また、本発明に係る第２の燃料噴射量制御装置は、上記第１の燃料噴射量制御装置と同じ噴射割合決定手段を備えるとともに、筒内側パラメータ決定手段及び筒内側実燃料付着量推定手段を新たに備え、更に、上記第１の燃料噴射量制御装置と異なる筒内噴射量決定手段及びポート噴射量決定手段を備える。以下、上記第１の燃料噴射量制御装置のものと同じ手段を除いた各手段の作用について順に説明する。
【００２９】
筒内側パラメータ決定手段は、少なくとも前記噴射割合決定手段により決定された噴射割合に基づいて、前記燃焼室内における燃料の挙動を表すパラメータである筒内側パラメータを決定する。
【００３０】
これにより、筒内側パラメータは、上述のように、筒内における燃料の挙動に大きく影響を与える因子である上記により決定された噴射割合に基づいて精度良く決定され得る。また、上記筒内側パラメータは、一般には、上述した機関の運転速度（エンジン回転速度）、燃焼室に吸入される空気量（筒内吸入空気量）、機関の冷却水の温度（冷却水温）等にも基づいて決定される。
【００３１】
筒内側実燃料付着量推定手段は、前記筒内噴射手段による噴射により燃焼室構成部材に付着している実際の燃料付着量である筒内側実燃料付着量を、上述のように決定された筒内側パラメータを使用して推定する。
【００３２】
筒内噴射量決定手段は、前記噴射割合決定手段により決定される噴射割合と、前記筒内側実燃料付着量推定手段より推定された筒内側実燃料付着量に基づいて筒内噴射量を決定する。また、ポート噴射量決定手段は、前記噴射割合決定手段により決定される噴射割合に基づいてポート噴射量を決定する。
【００３３】
これにより、上記本発明に係る第２の燃料噴射量制御装置によれば、少なくとも、上述のように精度良く決定され得る筒内側パラメータを使用して筒内側実燃料付着量を精度良く推定し、同筒内側実燃料付着量を考慮しながら筒内噴射量が決定されていく。この結果、内燃機関に供給される混合気の空燃比を狙いとする空燃比に適切に一致せしめることが可能となる。
【００３４】
ところで、筒内の温度（以下、「筒内温度」と称呼する。）は、筒内で燃焼する燃料の量（従って、筒内で発生する燃焼エネルギー）に大きく依存して決定される。加えて、筒内温度は、筒内で燃焼する燃料の量が同じ（従って、上述した基本燃料噴射量が同一）であっても、上記噴射割合に大きく依存する。換言すれば、筒内温度は、上記噴射割合に基づいて推定され得る。
【００３５】
そして、本発明者は、上記筒内側パラメータの値を上記噴射割合に基づいて決定するに際し、同筒内側パラメータの値を、同噴射割合に基づいて取得され得る筒内温度に基づいて決定することが好適であることを見出した。これは、筒内温度そのものが筒内における燃料の付着挙動に直接的に大きな影響を与える因子となることに起因すると考えられる。
【００３６】
即ち、上記本発明に係る第２の燃料噴射量制御装置においては、少なくとも前記決定された噴射割合に基づいて筒内温度を取得する筒内温度取得手段を更に備え、前記筒内燃料挙動パラメータ決定手段は、前記筒内燃料挙動パラメータの値を少なくとも前記取得された筒内温度に基づいて決定するように構成されることが好適である。
【００３７】
以下、より具体的に述べると、燃焼室内における燃料挙動を現すパラメータとして、上述した吸気通路における燃料挙動を表すパラメータの場合と同様、筒内噴射手段から噴射される燃料のうち燃焼室構成部材へ付着する燃料の割合を表す筒内側付着率と、同燃焼室構成部材に付着している燃料のうち同燃焼室構成部材に付着したまま残留する燃料の割合を表す筒内側残留率とを使用する場合を考える。
【００３８】
この場合、本発明者は、上記筒内側付着率と上記筒内側残留率とを上記筒内温度に基づいて決定するに際し、同筒内側付着率と同筒内側残留率とを、同筒内温度が高いほどより小さい値に決定することが好適であることを見出した。これは、筒内温度が高くなるほど、燃焼室構成部材の温度が上昇すること等に起因すると考えられる（詳細は、後述する。）。
【００３９】
以上より、この場合、前記筒内燃料挙動パラメータ決定手段は、前記筒内側付着率と前記筒内側残留率とを前記筒内温度が高いほどより小さい値に決定するように構成され、前記筒内実燃料付着量推定手段は、前記筒内燃料挙動パラメータ決定手段により決定された前記筒内側付着率と前記筒内側残留率とを使用して前記筒内側実燃料付着量を推定するように構成されると好ましい。
【００４０】
また、このように、筒内側燃料挙動パラメータの値が少なくとも筒内温度に基づいて決定される場合であって、且つ、予め設定された複数の燃焼モード（例えば、ストイキ燃焼、均質リーン燃焼、弱成層燃焼、及び成層燃焼等）の中から実際に採用される燃焼モードを内燃機関の運転状態に基づいて選択する燃焼モード選択手段が備えられている場合、前記筒内温度取得手段は、上記噴射割合のみならず、前記選択された燃焼モードにも基づいて前記筒内温度を取得するように構成されることが好適である。
【００４１】
一般に、筒内で燃焼する燃料の量は上記選択された燃焼モードに大きく依存する。従って、上述したように筒内で燃焼する燃料の量に大きく依存する筒内温度は、燃焼モードによっても大きく依存することになる。従って、上記構成によれば、筒内温度がより一層精度良く推定され得る。これにより、上記筒内側パラメータも精度良く決定され得、この結果、機関に供給される混合気の空燃比を狙いとする空燃比により一層精度良く一致させることができる。
【００４２】
また、本発明に係る第３の燃料噴射量制御装置は、上記第１の燃料噴射量制御装置と同じ噴射割合決定手段、吸気通路側パラメータ決定手段、吸気通路側実燃料付着量推定手段及びポート噴射量決定手段を備えるとともに、上記第２の燃料噴射量制御装置と同じ筒内側パラメータ決定手段、筒内側実燃料付着量推定手段及び筒内噴射量決定手段を備える。
【００４３】
これによれば、少なくとも、上述のように精度良く決定され得る吸気通路側パラメータと筒内側パラメータとを使用して吸気通路側実燃料付着量と筒内側実燃料付着量とがそれぞれ精度良く推定され得、同吸気通路側実燃料付着量と同筒内側実燃料付着量とを考慮しながらポート噴射量と筒内噴射量とがそれぞれ決定されていく。この結果、内燃機関に供給される混合気の空燃比を狙いとする空燃比により一層確実に一致せしめることが可能となる。
【発明を実施するための最良の形態】
【００４４】
以下、本発明による内燃機関の燃料噴射量制御装置の実施形態について図面を参照しつつ説明する。
【００４５】
図１は、本発明の実施形態に係る燃料噴射量制御装置をデュアルインジェクションシステムを備えた火花点火式多気筒（４気筒）内燃機関１０に適用したシステムの概略構成を示している。
【００４６】
この内燃機関１０は、シリンダブロック、シリンダブロックロワーケース、及びオイルパン等を含むシリンダブロック部２０と、シリンダブロック部２０の上に固定されるシリンダヘッド部３０と、シリンダブロック部２０にガソリン混合気を供給するための吸気系統４０と、シリンダブロック部２０からの排気ガスを外部に放出するための排気系統５０とを含んでいる。
【００４７】
シリンダブロック部２０は、シリンダ２１、ピストン２２、コンロッド２３、及びクランク軸２４を含んでいる。ピストン２２はシリンダ２１内を往復動し、ピストン２２の往復動がコンロッド２３を介してクランク軸２４に伝達され、これにより同クランク軸２４が回転するようになっている。シリンダ２１とピストン２２のヘッドは、シリンダヘッド部３０とともに燃焼室２５を形成している。
【００４８】
シリンダヘッド部３０は、燃焼室２５に連通した吸気ポート３１、吸気ポート３１を開閉する吸気弁３２、吸気弁３２を駆動するインテークカムシャフトを含むとともに同インテークカムシャフトの位相角を連続的に変更する可変吸気タイミング装置３３、可変吸気タイミング装置３３のアクチュエータ３３ａ、燃焼室２５に連通した排気ポート３４、排気ポート３４を開閉する排気弁３５、排気弁３５を駆動するエキゾーストカムシャフト３６、点火プラグ３７、点火プラグ３７に与える高電圧を発生するイグニッションコイルを含むイグナイタ３８、燃料を吸気ポート３１内に噴射するポート噴射弁３９Ｐ、燃料を燃焼室２５内に直接噴射する筒内噴射弁３９Ｃを備えている。
【００４９】
吸気系統４０は、吸気ポート３１に連通し同吸気ポート３１とともに吸気通路を形成するインテークマニホールドを含む吸気管４１、吸気管４１の端部に設けられたエアフィルタ４２、吸気管４１内にあって吸気通路の開口断面積を可変とするスロットル弁４３、及びスロットル弁駆動手段を構成するＤＣモータからなるスロットル弁アクチュエータ４３ａを備えている。
【００５０】
排気系統５０は、排気ポート３４に連通したエキゾーストマニホールド５１、エキゾーストマニホールド５１（実際には、各排気ポート３４に連通したそれぞれのエキゾーストマニホールド５１が集合した集合部）に接続されたエキゾーストパイプ（排気管）５２、エキゾーストパイプ５２に配設（介装）された三元触媒５３を備えている。排気ポート３４、エキゾーストマニホールド５１、及びエキゾーストパイプ５２は、排気通路を構成している。
【００５１】
一方、このシステムは、熱線式エアフローメータ６１、カムポジションセンサ６２、クランクポジションセンサ６３、水温センサ６４、三元触媒５３の上流の排気通路（本例では、上記各々のエキゾーストマニホールド５１が集合した集合部）に配設された空燃比センサ６５を備えている。
【００５２】
熱線式エアフローメータ６１は、吸気管４１を流れる吸入空気の単位時間あたりの質量流量に応じた電圧を出力するようになっている。この出力から吸入空気量（流量）Gaが算出される。カムポジションセンサ６２は、インテークカムシャフトが９０°回転する毎に（即ち、クランク軸２４が１８０°回転する毎に）一つのパルスを有する信号（Ｇ２信号）を発生するようになっている。この信号は、吸気弁３２の開閉タイミングVTをも表す。
【００５３】
クランクポジションセンサ６３は、クランク軸２４が１０°回転する毎に幅狭のパルスを有するとともに同クランク軸２４が３６０°回転する毎に幅広のパルスを有する信号を出力するようになっている。この信号は、エンジン回転速度NEを表す。水温センサ６４は、内燃機関１０の冷却水の温度を検出し、冷却水温THWを表す信号を出力するようになっている。
【００５４】
空燃比センサ６５は、排ガスの空燃比に応じた電流を出力し、この電流に応じた電圧を出力するようになっている。この出力から排ガスの空燃比が算出される。以下、空燃比センサ６５の出力に基づいて検出される排ガスの空燃比を排気空燃比abyfsと称呼する。
【００５５】
電気制御装置７０は、互いにバスで接続されたＣＰＵ７１、ＣＰＵ７１が実行するルーチン（プログラム）、テーブル（ルックアップテーブル、マップ）、及び定数等を予め記憶したＲＯＭ７２、ＣＰＵ７１が必要に応じてデータを一時的に格納するＲＡＭ７３、電源が投入された状態でデータを格納するとともに同格納したデータを電源が遮断されている間も保持するバックアップＲＡＭ７４、並びにＡＤコンバータを含むインターフェース７５等からなるマイクロコンピュータである。
【００５６】
インターフェース７５は、前記センサ６１〜６５に接続され、ＣＰＵ７１にセンサ６１〜６５からの信号を供給するとともに、同ＣＰＵ７１の指示に応じて可変吸気タイミング装置３３のアクチュエータ３３ａ、イグナイタ３８、ポート噴射弁３９Ｐ、筒内噴射弁３９Ｃ、及びスロットル弁アクチュエータ４３ａへ駆動信号を送出するようになっている。なお、イグナイタ３８への駆動信号の送出時期（従って、点火プラグ３７による点火時期）は、後述するポート噴射割合Ｒを含む機関の運転状態に応じて変更されるようになっている。
【００５７】
（ポート噴射量、及び筒内噴射量の決定方法の概要）
次に、上記のように構成された燃料噴射量制御装置（以下、「本装置」と云うこともある。）による燃料噴射量、即ち、ポート噴射量fip、及び筒内噴射量ficの決定方法について説明する。
【００５８】
このようなデュアルインジェクションシステムにおいては、ポート噴射弁３９Ｐによるポート噴射量fipと筒内噴射弁３９Ｃによる筒内噴射量ficの噴射割合（以下、この噴射割合として、ポート噴射割合Ｒ（＝ fip/(fip＋fic)）を使用する。）を、エンジン回転速度NE、冷却水温THW等の機関の運転状態に応じて変更することが好ましい。
【００５９】
また、本装置は、４つの燃焼モード（具体的には、ストイキ燃焼、均質リーン燃焼、弱成層燃焼、及び成層燃焼）の中から機関の運転状態に応じて最適な燃焼モードを選択し、目標空燃比abyfrを同選択された燃焼モードに応じた値に設定するようになっている。
【００６０】
このため、本装置は、後述するように得られる筒内吸入空気量Mcと上記設定された目標空燃比abyfrとから、機関に供給される混合気の空燃比を上記目標空燃比abyfrに一致させるために噴射すべき燃料の量である基本燃料噴射量Fbaseを求める。そして、本装置は、現時点での機関の運転状態に基づいて最適なポート噴射割合Ｒを求め、上記求めた基本燃料噴射量Fbaseと、ポート噴射割合Ｒと、後述する吸気通路構成部材及び燃焼室構成部材に付着する燃料についてのそれぞれの燃料挙動モデル（の逆モデル）等に基づいてポート噴射量fip、及び筒内噴射量ficを決定していく。以上が、ポート噴射量fip、及び筒内噴射量ficの決定方法の概要である。
【００６１】
以下、ポート噴射量fip、及び筒内噴射量ficの具体的な決定方法を説明する前に、本装置が同ポート噴射量fip、及び同筒内噴射量ficを決定するために使用する燃料挙動（付着）モデルについて説明する。
【００６２】
（デュアルインジェクションシステムにおける燃料付着の概念）
図２で概念的に示したように、燃料が噴射される気筒のポート噴射弁３９Ｐから噴射された燃料は、その一部が吸気管４１の壁面部、及び吸気弁３２の傘部からなる吸気通路構成部材に付着する。以下、吸気管４１の壁面部に付着している燃料を「ポート側付着燃料」、吸気弁３２の傘部に付着している燃料を「バルブ側付着燃料」、ポート側付着燃料の量を「ポート側燃料付着量fwp」、バルブ側付着燃料の量を「バルブ側燃料付着量fwv」と称呼する。一方、燃料が噴射される気筒の筒内噴射弁３９Ｃから噴射された燃料は、その一部がピストン２２の上面部、及びシリンダ２１の壁面からなる燃焼室構成部材に付着する。以下、これらに付着している燃料を「筒内側付着燃料」と総称し、筒内側付着燃料の量を「筒内側実燃料付着量fwc」と称呼する。尚、「ポート側燃料付着量fwp」及び「バルブ側燃料付着量fwv」は前記吸気通路側実燃料付着量に対応する。
【００６３】
ところで、燃料挙動モデルで使用される燃料の付着率と残留率は、温度によって大きく相違する。ここで、上記吸気通路構成部材は、高温となる燃焼室２５より隔離されており上記燃焼室構成部材と比較して温度が低い。加えて、吸気通路構成部材の中でも、吸気弁３２の傘部は、燃焼室２５に比較的近い位置にあり吸気管４１の壁面部と比較して温度が高い。
【００６４】
そこで、本装置は、吸気通路構成部材に付着する燃料についての燃料挙動モデルと、燃焼室構成部材に付着する筒内側付着燃料についての燃料挙動モデルと、を独立して扱い、更に、同吸気通路構成部材に付着する燃料についての燃料挙動モデルは、ポート側付着燃料についてのモデルと、バルブ側付着燃料についてのモデルとに分けて扱う。即ち、本装置は、ポート側燃料付着量fwp、バルブ側燃料付着量fwv、及び筒内側実燃料付着量fwcをそれぞれ分けて求める。
【００６５】
（吸気通路構成部材に付着する燃料についての燃料挙動モデル）
より具体的に述べると、ポート噴射される気筒に着目した図３に示したように、fipをポート噴射弁３９Ｐから今回の吸気行程に対して噴射される燃料の量であるポート噴射量、fwp（fwp(k-1)）を前回の吸気行程後であって今回の吸気行程直前において吸気管４１の壁面部に既に付着しているポート側燃料付着量、Ppを上記ポート側燃料付着量fwp(k-1)のうち吸気管４１の壁面部に付着したまま残留するポート側付着燃料の割合（ポート側残留率）、Rpを上記ポート噴射量fipのうち吸気管４１の壁面部へ付着する燃料の割合（ポート側付着率）とすると、上記ポート側燃料付着量fwp(k-1)のうち吸気管４１の壁面部に残留する燃料の量はPp・fwp(k-1)となり、ポート噴射量fipの燃料のうち吸気管４１の壁面部に新たに付着する燃料の量はRp・fipとなる。従って、今回の吸気行程後であって次回の吸気行程直前において吸気管４１の壁面部に付着するポート側燃料付着量fwp(k)について下記(1)式が成立する。漸化式である下記(1)式は、ポート側付着燃料についての燃料挙動モデルを記述したものである。
【００６６】
fwp(k)＝Pp・fwp(k-1)＋Rp・fip  ・・・(1)
【００６７】
同様に、図３に示したように、fwv（fwv(k-1)）を前回の吸気行程後であって今回の吸気行程直前において吸気弁３２の傘部に既に付着しているバルブ側燃料付着量、Pvを上記バルブ側燃料付着量fwv(k-1)のうち吸気弁３２の傘部に付着したまま残留するバルブ側付着燃料の割合（バルブ側残留率）、Rvを上記ポート噴射量fipのうち吸気弁３２の傘部へ付着する燃料の割合（バルブ側付着率）とすると、今回の吸気行程後であって次回の吸気行程直前において吸気弁３２の傘部に付着するバルブ側燃料付着量fwv(k)について下記(2)式が成立する。漸化式である下記(2)式は、バルブ側付着燃料についての燃料挙動モデルを記述したものである。尚、上記Pp，Rp，Pv、及びRvは、前記吸気通路側パラメータに対応する。
【００６８】
fwv(k)＝Pv・fwv(k-1)＋Rv・fip  ・・・(2)
【００６９】
（燃焼室構成部材に付着する燃料についての燃料挙動モデル）
一方、筒内噴射される気筒に着目した図４に示したように、ficを筒内噴射弁３９Ｃから今回の吸気行程に対して噴射される燃料の量である筒内噴射量、fwc（fwc(k-1)）を前回の吸気行程後であって今回の吸気行程直前において燃焼室構成部材に既に付着している筒内側実燃料付着量、Pcを上記筒内側実燃料付着量fwc(k-1)のうち燃焼室構成部材に付着したまま残留する筒内側付着燃料の割合（筒内側残留率）、Rcを上記筒内噴射量ficのうち燃焼室構成部材へ付着する燃料の割合（筒内側付着率）とすると、今回の吸気行程後であって次回の吸気行程直前において燃焼室構成部材に付着する筒内側実燃料付着量fwc(k)について下記(3)式が成立する。漸化式である下記(3)式は、筒内側付着燃料についての燃料挙動モデルを記述したものである。尚、上記Pc、及びRcは、前記筒内側パラメータに対応する。
【００７０】
fwc(k)＝Pc・fwc(k-1)＋Rc・fic  ・・・(3)
【００７１】
（残留率、及び付着率の決定方法）
次に、吸気通路側パラメータである上記Pp，Rp，Pv，Rv、及び筒内側パラメータである上記Pc，Rcの決定方法について説明する。先ず、吸気通路側パラメータである上記Pp，Rp，Pv，Rvの決定方法について説明する。
【００７２】
<吸気通路側パラメータの決定方法>
吸気通路における燃料の挙動（従って、上記Pp，Rp，Pv，Rvの値）は、機関の運転状態、特に、冷却水温THW、エンジン回転速度NE、筒内吸入空気量Mc、及び吸気弁３２の開閉タイミングVT（以下、これらの因子を「基本因子」と総称する。）の値に強く影響される。
【００７３】
また、本発明者は、デュアルインジェクションシステムにおいては、吸気通路における燃料の挙動がポート噴射割合Ｒに大きく影響され、上記基本因子の値が同一であってもポート噴射割合Ｒが小さいほど上記Pp，Rp，Pv，Rvの値をより小さくすることが吸気通路側実燃料付着量（具体的には、ポート側燃料付着量fwp、及びバルブ側燃料付着量fwv）を精度良く推定する上で好ましいことを見出した。これは、以下の理由に基づくと考えられる。
【００７４】
即ち、上記基本燃料噴射量Fbaseが同一である場合、ポート噴射割合Ｒが小さくなるほど、ポート噴射量fipが小さくなる。また、上記(1)式、及び上記(2)式から容易に理解できるように、ポート噴射量fipが小さくなるほど上記吸気通路側実燃料付着量がより小さくなり、吸気通路構成部材へ付着している燃料の液膜の厚さが小さくなる。
【００７５】
上記吸気通路構成部材へ付着している燃料の液膜の厚さが小さくなると、同付着している燃料よりも温度が高い吸気通路構成部材から伝達される熱により同付着している燃料の温度が上昇し易くなる。この結果、上記吸気通路側実燃料付着量が小さくなる傾向が強くなる。これが、ポート噴射割合Ｒが小さいほど上記Pp，Rp，Pv，Rvの値をより小さくする理由である。
【００７６】
以上のことから、吸気通路側パラメータである上記Pp，Rp，Pv，Rvを精度良く決定するため、上記Pp，Rp，Pv，Rvを上記基本因子のみならずポート噴射割合Ｒをも引数とするテーブルに基づいて決定することが考えられる。しかしながら、これら全ての因子を引数とするテーブルを作製するためには、膨大な数の組み合わせに対応する膨大な数の適合実験を行う必要があり、適合を行う際の労力が多大となる。
【００７７】
そこで、本装置では、上記労力を軽減するためにポート噴射割合Ｒを「１」に固定して行った適合実験を通して作製された上記基本因子のみを引数とする基本テーブルが使用される。即ち、本装置は、上記基本テーブルを使用して上記Pp，Rp，Pv，Rvの値をそれぞれ取得し、同取得した各値を、ポート噴射割合Ｒに基づく補正係数（ポート側残留率補正係数KPp、ポート側付着率補正係数KRp、バルブ側残留率補正係数KPv、及びバルブ側付着率補正係数KRv）を使用してそれぞれを補正する（即ち、ポート噴射割合Ｒに基づいて補正する）ことで上記Pp，Rp，Pv，Rvの値を決定する。
【００７８】
上記補正係数KPp，KRp，KPv，KRvの値は、例えば、図５に示したポート噴射割合Ｒと補正係数KPp，KRp，KPv，KRvとの関係を規定するテーブルに従って決定される。このように、補正係数KPp，KRp，KPv，KRvは、ポート噴射割合Ｒが「１」のとき「１」となり、ポート噴射割合の減少に応じて減少するように設定される。これにより、上記基本因子の値が同一であっても、ポート噴射割合Ｒが小さいほど上記Pp，Rp，Pv，Rvの値をより小さくすることができる。
【００７９】
加えて、上述したように、吸気通路構成部材のうち吸気弁３２の傘部は、燃焼室２５に近い位置にあるから比較的高温になる。従って、吸気弁３２の傘部における燃料の挙動は、ポート噴射割合Ｒによる影響（即ち、上記液膜の厚さの影響）とは独立して同傘部の温度にも大きく依存し、同傘部の温度が高いほどバルブ側燃料付着量fwvが小さくなる傾向が強くなる。また、吸気弁３２の傘部の温度は、燃焼室２５内の温度（例えば、燃焼室２５内の平均温度。以下、「筒内温度Tc」と称呼する。）に強く依存し、筒内温度Tcが高いほど高くなる。換言すれば、筒内温度Tcが高いほどバルブ側燃料付着量fwvが小さくなる傾向が強くなる。
【００８０】
そこで、本装置は、上記Pp，Rp，Pv，Rvのうち吸気弁３２の傘部における燃料の挙動を表すパラメータである上記Pv，Rvについては、更に、筒内温度Tcに基づく補正係数（バルブ側残留率補正係数LPv、及びバルブ側付着率補正係数LRv）を使用してそれぞれ補正することで同Pv，Rvの値を決定する。
【００８１】
上記補正係数LPv，LRvの値は、例えば、図６に示した筒内温度Tcと補正係数LPv，LRvとの関係を規定するテーブルに従って決定される。このように、補正係数LPv，LRvは、筒内温度Tcが高くなるほど小さくなるように設定される。これにより、上記基本因子、及びポート噴射割合Ｒの値が同一であっても、筒内温度Tcが高いほど上記Pv，Rvの値がより小さくなる。これは、上述した「筒内温度Tcが高いほどバルブ側燃料付着量fwvが小さくなる」傾向に沿うものである。
【００８２】
このように、本装置では、吸気通路側パラメータである上記Pp，Rp，Pv，Rvは、上記基本因子に加えてポート噴射割合Ｒに基づいて決定され、特に、吸気弁３２の傘部における燃料の挙動を表すパラメータである上記Pv，Rvは、更に、筒内温度Tcにも基づいて決定される。以上が、本装置による吸気通路側パラメータである上記Pp，Rp，Pv，Rvの決定方法である。
【００８３】
<筒内側パラメータの決定方法>
次に、筒内側パラメータの決定方法について説明する。筒内における燃料の挙動（従って、上記Pc，Rcの値）も、上記基本因子の値に強く影響される。加えて、上記Pc，Rcの値もポート噴射割合Ｒに依存し、ポート噴射割合Ｒが大きいほど（即ち、燃焼室構成部材に付着する燃料の液膜の厚さが小さくなるほど）上記Pc，Rcの値をより小さくすることが筒内側実燃料付着量fwcを精度良く推定する上で好ましいと考えられる。
【００８４】
従って、上記吸気通路側パラメータと同様、ポート噴射割合Ｒを「０」に固定して行った適合実験を通して作製された上記基本因子のみを引数とする基本テーブルを使用して上記Pc，Rcの値をそれぞれ取得し、同取得した各値を、ポート噴射割合Ｒに基づく補正係数を使用してそれぞれ補正することで上記Pc，Rcの値を決定する手法が考えられる。
【００８５】
これに対し、本発明者は、上記基本テーブルを使用して取得した上記Pc，Rcの各値を、ポート噴射割合Ｒに基づく補正係数に代えて筒内温度Tcに基づく補正係数を使用して、筒内温度Tcが高いほど上記Pc，Rcがより小さくなるようにそれぞれ補正する（即ち、筒内温度Tcに基づいて補正する）ことが筒内側実燃料付着量fwcを精度良く推定する上で更に好ましいことを見出した。これは、以下の理由に基づくと考えられる。
【００８６】
即ち、筒内温度Tcは、筒内で燃焼する燃料の量に大きく依存して決定される。加えて、筒内温度Tcは、筒内で燃焼する燃料の量が同じであっても、ポート噴射割合Ｒが変化すると筒内での燃焼状態が変化することで変化し得る。換言すれば、筒内温度Tcは、ポート噴射割合Ｒにも依存して決定される値である。
【００８７】
加えて、上述したように、上記燃焼室構成部材は非常に高温になる。従って、筒内における燃料の挙動は、同燃焼室構成部材の温度に直接的に強く影響される。また、燃焼室構成部材の温度は、筒内温度Tcに直接的に強く依存する。換言すれば、筒内における燃料の挙動は、筒内温度Tcそのものに直接的に強く影響され得る。これが、上記基本テーブルを使用して取得された上記Pc，Rcの各値を筒内温度Tcに基づく補正係数を使用して補正する理由である。
【００８８】
また、筒内温度Tcが高いほど燃焼室構成部材の温度も高くなる。筒内側実燃料付着量fwcは、上記燃焼室構成部材の温度が高いほど小さくなる傾向が強くなる。換言すれば、筒内側実燃料付着量fwcは、筒内温度Tcが高いほど小さくなる傾向が強くなる。これが、筒内温度Tcが高いほど上記Pc，Rcの値をより小さくする理由である。
【００８９】
そこで、本装置は、上記基本テーブルを使用して取得された上記Pc，Rcの各値を、筒内温度Tcに基づく補正係数である筒内側残留率補正係数LPc、及び筒内側付着率補正係数LRcを使用してそれぞれ補正することで同Pc，Rcの値を決定する。
【００９０】
上記補正係数LPc，LRcの値は、例えば、図７に示した筒内温度Tcと補正係数LPc，LRcとの関係を規定するテーブルによって決定される。このように、補正係数LPc，LRcは、筒内温度Tcが高くなるほど小さくなるように設定される。これにより、上記基本因子の値が同一であっても、筒内温度Tcが高いほど上記Pc，Rcの値をより小さくすることができる。
【００９１】
なお、図６に示される補正係数LPv，LRvの各値の筒内温度Tcに対する変動は、図７に示される補正係数LPc，LRcの各値の筒内温度Tcに対する変動に比べて小さい。これは、燃焼室構成部材の温度よりも吸気弁３２の傘部の温度の方が筒内温度Tcの影響を受ける程度が小さいことに基づくと考えられる。
【００９２】
このように、本装置では、筒内側パラメータである上記Pc，Rcは、上記基本因子に加えて筒内温度Tcに基づいて決定される。以上が、本装置による筒内側パラメータである上記Pc，Rcの決定方法である。
【００９３】
（筒内温度取得方法）
本装置は、下記(4)式に従って筒内温度瞬時値Tc1を求め、同筒内温度瞬時値Tc1に対して所定の１次遅れ処理を施すことで筒内温度Tcを取得する。
【００９４】
Tc1＝(R・Tcp＋(1-R)・Tcc)・β  ・・・(4)
【００９５】
上記(4)式において、Tcpは、ポート噴射割合Ｒが「１」のときの筒内温度であり、Tccは、ポート噴射割合Ｒが「０」のときの筒内温度である。上記Tcp、及びTccの詳細については後述する。βは、ポート噴射割合Ｒに基づいて決定される筒内温度補正係数である。この筒内温度補正係数βは、筒内温度Tcに影響を与える点火時期が上述したようにポート噴射割合Ｒに応じて変化することに対応してポート噴射割合Ｒに応じて筒内温度Tcを補正するために使用されている。
【００９６】
以下、上記Tcp、及びTccの取得方法について説明する。上記Tcp，Tccはそれぞれ、下記(5)式、下記(6)式に従って取得される。
【００９７】
Tcp＝K1・abyfs＋K2・NE＋K3・Mc＋K4・Ga  ・・・(5)
Tcc＝K5・abyfs＋K6・NE＋K7・Mc＋K8・Ga  ・・・(6)
【００９８】
上記(5)式、(6)式から理解できるように、上記Tcp、及びTccは、筒内温度Tcに大きく影響を与える因子である排気空燃比abyfs、エンジン回転速度NE、筒内吸入空気量Mc、及び吸入空気流量Gaに基づいて取得される。
【００９９】
また、上記(5)式、及び(6)式において、K1〜K8は適合係数である。適合係数K1〜K8として、上述した４つの燃焼モード（ストイキ燃焼、均質リーン燃焼、弱成層燃焼、及び成層燃焼）のそれぞれに対応する値が燃焼モード毎に予めＲＯＭ７２に格納されている。上記(5)式、及び(6)式の計算を行う際には、適合係数K1〜K8として機関の運転状態に応じて選択された現時点での燃焼モードに対応する値が使用されていく。
【０１００】
このように、本装置は、上記(4)式〜(6)式に従って、筒内温度Tcを、同筒内温度Tcに大きく影響を与える因子である排気空燃比abyfs、エンジン回転速度NE、筒内吸入空気量Mc、及び吸入空気流量Gaに加えて、ポート噴射割合Ｒ、及び上記選択された燃焼モードにも基づいて取得する。以上が、本装置による上記筒内温度Tcの取得方法である。
【０１０１】
（ポート噴射量fip、及び筒内噴射量ficの具体的な決定方法）
次に、ポート噴射量fip、及び筒内噴射量ficの具体的な決定方法について説明する。本装置は、上記最適なポート噴射割合Ｒと、上記基本燃料噴射量Fbaseとを使用して、吸気行程において吸気通路を経て筒内に流入する燃料の量が下記(7)式にて求められる必要ポート流入燃料量fcpと一致するように、且つ、燃焼室構成部材に付着せず筒内で実際に燃焼する燃料の量が下記(8)式にて求められる必要筒内燃焼燃料量fccと一致するように、後述する上記燃料挙動モデルの逆モデルを使用してポート噴射量fipと筒内噴射量ficとを求める。このように、ポート側燃料付着量fwp、バルブ側燃料付着量fwv、及び筒内側実燃料付着量fwcを考慮することで、筒内にて燃焼する総燃料量が基本燃料噴射量Fbaseと一致し得、この結果、空燃比を燃焼モードに応じた目標空燃比abyfrに一致させることができる。
【０１０２】
fcp＝Fbase・Ｒ  ・・・(7)
fcc＝Fbase・(1−Ｒ)  ・・・(8)
【０１０３】
以下、燃料挙動モデルの逆モデルについて説明する。この燃料挙動モデルの逆モデルは、ポート噴射された燃料のうち吸気管４１の壁面や吸気弁３２の傘部に付着することなく筒内に流入する燃料の量、及び吸気管４１の壁面や吸気弁３２の傘部に付着していた燃料のうち筒内に流入する燃料の量を考慮して、上記(7)式にて算出される必要ポート流入燃料量fcpの燃料を気筒に流入させるために必要とされるポート噴射量fipを算出するとともに、筒内噴射された燃料のうち燃焼室構成部材に付着することなく筒内で実際に燃焼する燃料の量、及び燃焼室構成部材に付着していた燃料のうち筒内で実際に燃焼する燃料の量を考慮して、上記(8)式にて算出される必要筒内燃焼燃料量fccの燃料を筒内で燃焼させるために必要とされる筒内噴射量ficを算出するモデルである。
【０１０４】
上記(1)式、上記(2)式及び上記(3)式により既に求められている、燃料噴射気筒の前回の吸気行程後であって今回の吸気行程直前において吸気管４１の壁面に付着しているポート側燃料付着量fwp(k-1)、吸気弁３２の傘部に付着しているバルブ側燃料付着量fwv(k-1)、及び燃焼室構成部材に付着している筒内側実燃料付着量fwc(k-1)、並びに、上述のように決定される上記Pp，Pv，Pc，Rp，Rv、及びRcを使用すると、今回の吸気行程に対してポート噴射量fipの燃料を噴射したと仮定した場合に筒内に流入する燃料の量である筒内流入燃料量Fcpは、下記(9)式で表され（図３を参照）、また、今回の吸気行程に対して筒内噴射量ficの燃料を噴射したと仮定した場合に筒内で実際に燃焼する燃料の量である筒内燃焼燃料量Fccは、下記(10)式で表される（図４を参照）。
【０１０５】
Fcp=(1−Rp−Rv)・fip＋(1−Pp)・fwp(k−1)＋(1−Pv)・fwv(k−1)  ・・・(9)
Fcc=(1−Rc)・fic＋(1−Pc)・fwc(k−1)  ・・・(10)
【０１０６】
従って、今回の吸気行程において上記(7)式にて算出される必要ポート流入燃料量fcpが筒内に流入するために必要なポート噴射量fipは、上記(9)式において上記筒内流入燃料量Fcpを同必要ポート流入燃料量fcpと置き換えた式をポート噴射量fipについて解くことで求めることができる。その計算結果は、下記(11)式の通りとなる。同様に、今回の吸気行程において上記(8)式にて算出される必要筒内燃焼燃料量fccが筒内で実際に燃焼するために必要な筒内噴射量ficは、上記(10)式において上記筒内燃焼燃料量Fccを同必要筒内燃焼燃料量fccと置き換えた式を筒内噴射量ficについて解くことで求めることができる。その計算結果は、下記(12)式の通りとなる。これら下記(11)式、及び下記(12)式が、燃料挙動モデルの逆モデルを数式化したものであって、本装置は、下記(11)式、及び下記(12)式に従ってポート噴射量fip、及び筒内噴射量ficを求める。以上が、ポート噴射量fip、及び筒内噴射量ficを求めるために使用される燃料挙動モデルの逆モデルの概要である。
【０１０７】
fip=（fcp−(1−Pp)・fwp(k−1)−(1−Pv)・fwv(k−1)）／(1−Rp−Rv)  ・・・(11)
fic=（fcc−(1−Pc)・fwc(k−1)）／(1−Rc)  ・・・(12)
【０１０８】
（実際の作動）
次に、電気制御装置７０の実際の作動について、図８〜図１０に示したフローチャートを参照しながら説明する。
【０１０９】
ＣＰＵ７１は、図８、及び図９に一連のフローチャートにより示したポート噴射量fip、筒内噴射量ficの計算、及び燃料噴射の指示を行う一連のルーチンを、各気筒のクランク角が吸気上死点前の所定クランク角度（例えば、ＢＴＤＣ９０°ＣＡ）となる毎に、気筒毎に、繰り返し実行するようになっている。
【０１１０】
従って、任意の気筒のクランク角度が前記所定クランク角度になると、ＣＰＵ７１はステップ８００から処理を開始してステップ８０５に進み、エアフローメータ６１が計測している吸入空気流量Gaと、クランクポジションセンサ６３の出力に基づいて得られるエンジン回転速度NEと、Ga,NEを引数とするテーブルMapMcとに基づいて吸気行程を迎える気筒の吸入空気量である筒内吸入空気量Mcを求める。
【０１１１】
次に、ＣＰＵ７１はステップ８１０に進み、上記得られたエンジン回転速度NEと、上記求めた筒内吸入空気量Mcと、水温センサ６４から得られる冷却水温THWとに基づいて４つの燃焼モード（ストイキ燃焼、均質リーン燃焼、弱成層燃焼、及び成層燃焼）の中から吸気行程を迎える燃焼室２５について最適な燃焼モードを１つ選択する。このステップ８１０が、燃焼モード選択手段に対応する。
【０１１２】
続いて、ＣＰＵ７１はステップ８１５に進み、上記選択された燃焼モードに応じて目標空燃比abyfrを設定し、続くステップ８２０にて、上記求めた筒内吸入空気流量Mcを現時点での目標空燃比abyfrで除した値に係数αを乗じることで、空燃比を燃焼モードに応じた目標空燃比abyfrとするための基本燃料噴射量Fbaseを求める。係数αは、空燃比センサ６５の出力に基づく空燃比フィードバック制御等により適宜変更される係数である。
【０１１３】
次いで、ＣＰＵ７１はステップ８２５に進み、上記得られたエンジン回転速度NEと、上記求めた筒内吸入空気量Mcと、上記得られた冷却水温THWと、NE,Mc,THWを引数とするテーブルMapＲとに基づいて最適なポート噴射割合Ｒを求める。このステップ８２５が、噴射割合決定手段に対応する。
【０１１４】
続いて、ＣＰＵ７１はステップ８３０に進んで、上記求めた基本燃料噴射量Fbaseと、上記求めたポート噴射割合Ｒと、上記(7)式とに基づいて必要ポート流入燃料量fcpを求め、続くステップ８３５にて同基本燃料噴射量Fbaseと、同ポート噴射割合Ｒと、上記(8)式とに基づいて必要筒内燃焼燃料量fccを求める。
【０１１５】
次に、ＣＰＵ７１はステップ８４０を経由して、図１０にフローチャートにより示した筒内温度Tcを計算するためのルーチン処理をステップ１０００から開始する。この図１０のルーチンの実行により筒内温度取得手段の機能が達成される。
【０１１６】
ステップ１０００に進んだＣＰＵ７１は、ステップ１００５に進んで上記選択された現時点での燃焼モードに対応する適合係数K1〜K8の値をＲＯＭ７２に格納されているデータの中から決定する。
【０１１７】
続いて、ＣＰＵ７１はステップ１０１０に進んで、上記決定された適合係数K1〜K4と、空燃比センサ６５により得られる排気空燃比abyfsと、上記エンジン回転速度NEと、上記筒内吸入空気流量Mcと、上記吸入空気流量Gaと、上記(5)式とに基づいてポート噴射割合Ｒが「１」の場合の筒内温度Tcpを計算し、同様に上記決定された適合係数K5〜K8と、abyfs，NE，Mc，及びGaと、上記(6)式とに基づいてポート噴射割合Ｒが「０」の場合の筒内温度Tccを計算する。
【０１１８】
次に、ＣＰＵ７１はステップ１０１５に進んで、上記ポート噴射割合Ｒと、ポート噴射割合Ｒを引数とする所定のテーブルMapβとに基づいて、筒内温度補正係数βを決定する。そして、ＣＰＵ７１はステップ１０２０に進んで、上記ポート噴射割合Ｒと、上記計算されたTcpと、上記計算されたTccと、上記決定された筒内温度補正係数βと、上記(4)式とに基づいて、筒内温度瞬時値Tc1を取得し、更に、同筒内温度瞬時値Tc1に対してステップ１０２０内に示した式により値Ａを時定数とする１次遅れ処理を施して今回の筒内温度Tc(k)を求める。ここで、Tc(k-1)は、前回の筒内温度であり次のステップ１０２５で更新されていく値である。
【０１１９】
そして、ＣＰＵ７１はステップ１０９５を経由して図８のステップ８４５に進んで、上記求めたポート噴射割合Ｒと、ポート噴射割合Ｒを引数とする所定のテーブルMapKPp，MapKPv，MapKRp，MapKRv（図５を参照）とに基づいて、ポート側残留率補正係数KPp、バルブ側残留率補正係数KPv、ポート側付着率補正係数KRp、及びバルブ側付着率補正係数KRvをそれぞれ決定する。
【０１２０】
続いて、ＣＰＵ７１はステップ８５０に進んで、上記計算された筒内温度Tc(k)と、筒内温度Tc(k)を引数とする所定のテーブルMapLPv，MapLRv（図６を参照）とに基づいて、バルブ側残留率補正係数LPv、及びバルブ側付着率補正係数LRvをそれぞれ決定する。
【０１２１】
次に、ＣＰＵ７１はステップ８５５に進んで、上記計算された筒内温度Tc(k)と、筒内温度Tc(k)を引数とする所定のテーブルMapLPc，MapLRc（図７を参照）とに基づいて、筒内側残留率補正係数LPc、及び筒内側付着率補正係数LRcをそれぞれ決定する。
【０１２２】
そして、ＣＰＵ７１は図９のステップ９０５に進んで、上記基本因子である上記冷却水温THW、エンジン回転速度NE、上記筒内吸入空気量Mc、及び上記吸気弁３２の開閉タイミングVTと、同基本因子を引数とするポート側残留率Ppを求める上記基本テーブルMapPpとから得られる値に上記決定されたポート側残留率補正係数KPpを乗じることでポート側残留率Ppを決定し、同基本因子と、同基本因子を引数とするバルブ側残留率Pvを求める上記基本テーブルMapPvとから得られる値に上記決定されたバルブ側残留率補正係数KPv，LPvをそれぞれ乗じることでバルブ側残留率Pvを決定し、同基本因子と、同基本因子を引数とするポート側付着率Rpを求める上記基本テーブルMapRpとから得られる値に上記決定されたポート側付着率補正係数KRpを乗じることでポート側付着率Rpを決定し、同基本因子と、同基本因子を引数とするバルブ側付着率Rvを求める上記基本テーブルMapRvとから得られる値に上記決定されたバルブ側付着率補正係数KRv，LRvをそれぞれ乗じることでバルブ側付着率Rvを決定する。これらのステップ８４５，８５０，９０５が、吸気通路側パラメータ決定手段に対応する。
【０１２３】
続いて、ＣＰＵ７１はステップ９１０に進んで、上記基本因子と、同基本因子を引数とする筒内側残留率Pcを求める上記基本テーブルMapPcとから得られる値に上記決定された筒内側残留率補正係数LPcを乗じることで筒内側残留率Pcを決定し、同基本因子と、同基本因子を引数とする筒内側付着率Rcを求める上記基本テーブルMapRcとから得られる値に上記決定された筒内側付着率補正係数LRcを乗じることで筒内側付着率Rcを決定する。これらのステップ８５５，９１０が、筒内側パラメータ決定手段に対応する。
【０１２４】
そして、ＣＰＵ７１はステップ９１５に進み、上記求めた必要ポート流入燃料量fcpと、上記決定されたPp，Pv，Rp、及びRvと、ポート側燃料付着量fwp(k-1)と、バルブ側燃料付着量fwv(k-1)と、上記(11)式とに基づいてポート噴射量fipを求める。ポート噴射量fipが負の値となる場合、ポート噴射量fipは「０」とされる。ポート側燃料付着量fwp(k-1)、及びバルブ側燃料付着量fwv(k-1)としては、前回の本ルーチン実行時において後述するステップ９３０にて既に更新されている最新値fwp(k)、及びfwv(k)をそれぞれ使用する。このステップ９１５が、ポート噴射量決定手段に対応する。
【０１２５】
続いて、ＣＰＵ７１はステップ９２０に進み、上記求めた必要筒内燃焼燃料量fccと、上記求めたPc、及びRcと、筒内側実燃料付着量fwc(k-1)と、上記(12)式とに基づいて筒内噴射量ficを求める。筒内噴射量ficが負の値となる場合、筒内噴射量ficは「０」とされる。筒内側実燃料付着量fwc(k-1)としては、前回の本ルーチン実行時において後述するステップ９３０にて既に更新されている最新値fwc(k)を使用する。このステップ９２０が、筒内噴射量決定手段に対応する。
【０１２６】
次に、ＣＰＵ７１はステップ９２５に進んで、上記求めたポート噴射量fipの燃料を所定の時期に噴射するための指示を吸気行程を迎える気筒のポート噴射弁３９Ｐに対して行い、且つ上記求めた筒内噴射量ficの燃料を所定の時期に噴射するための指示を同一の気筒の筒内噴射弁３９Ｃに対して行う。
【０１２７】
次に、ＣＰＵ７１は上述したステップ９３０に進むと、上記決定されたPp、及びRpと、ポート側燃料付着量fwp(k-1)と、上記(1)式とに基づいてポート側燃料付着量fwp(k)を更新し、上記決定されたPv、及びRvと、バルブ側燃料付着量fwv(k-1)と、上記(2)式とに基づいてバルブ側燃料付着量fwv(k)を更新する。これらが、吸気通路側実燃料付着量推定手段に対応する。同様に、ＣＰＵ７１は、上記決定されたPc、及びRcと、筒内側実燃料付着量fwc(k-1)と、上記(3)式とに基づいて筒内側実燃料付着量fwc(k)を更新する。これが、筒内側実燃料付着量推定手段に対応する。
【０１２８】
ここで、ポート側燃料付着量fwp(k-1)、バルブ側燃料付着量fwv(k-1)及び筒内側実燃料付着量fwc(k-1)としては、ステップ９１５及びステップ９２０と同様、前回の本ルーチン実行時においてステップ９３０にて既に更新されている最新値fwp(k)，fwv(k)、及びfwc(k)をそれぞれ使用する。
【０１２９】
そして、ＣＰＵ７１はステップ９９５に進み、本ルーチンを一旦終了する。以上により、上記ポート噴射量fip、及び筒内噴射量ficは、燃料挙動モデルを用いて筒内にて燃焼する総燃料量が基本燃料噴射量Fbaseと一致するように決定されていく。
【０１３０】
以上、説明したように、本発明による内燃機関の燃料噴射量制御装置の実施形態は、ポート噴射弁３９Ｐと筒内噴射弁３９Ｃとを気筒毎に備えたデュアルインジェクションシステムを備えた内燃機関に適用される。上記実施形態によれば、吸気通路構成部材のうち燃焼室２５から離れた位置にある吸気管４１の壁面部に付着する燃料の量であるポート側燃料付着量fwpは、上記基本因子に加えてポート噴射割合Ｒ(＝fip/(fip＋fic))にも基づいて決定されるポート側残留率Pp、及びポート側付着率Rpを用いることで正確に推定され得る。吸気通路側実燃料付着量のうち燃焼室２５に近い位置にある吸気弁３２の傘部に付着する燃料の量であるバルブ側燃料付着量fwvは、上記基本因子に加えて上記ポート噴射割合Ｒ、及び上記筒内温度Tc(k)とにも基づいて決定されるバルブ側残留率Pv、及びバルブ側付着率Rvを用いることで正確に推定され得る。
【０１３１】
一方、燃焼室構成部材に付着する燃料の量である筒内側実燃料付着量fwcは、上記基本因子に加えて同燃焼室構成部材の温度に直接的に影響を与える筒内温度Tcにも基づいて決定される筒内側残留率Pc、及び筒内側付着率Rcを用いることで正確に推定され得る。
【０１３２】
上記ポート噴射量fipは、ポート噴射割合Ｒと、上記正確に推定されたfwp、及びfwvとに基づいて決定され、また、上記筒内噴射量ficは、ポート噴射割合Ｒと、上記正確に推定された筒内実燃料付着量fwcとに基づいて決定される。これにより、内燃機関に供給される混合気の空燃比を狙いとする空燃比に適切に一致させることができる。
【０１３３】
本発明は、上記実施形態に限定されることはなく、本発明の範囲内において種々の変形例を採用することができる。例えば、上記実施形態においては、吸気通路側パラメータ（Pp，Rp，Pv，Rv）の値を、上記基本因子のみを引数とする吸気通路側パラメータの値を求める上記基本テーブルから得られる値にポート噴射割合Ｒに基づく補正係数を乗じることで決定しているが、上記基本テーブルから得られる値にポート噴射割合Ｒ（噴射割合）に基づく補正値を加算、或いは減算することで決定してもよい。また、上記基本テーブルから得られる値を上記ポート噴射割合Ｒ（噴射割合）に基づく補正値で除算することで決定してもよい。
【０１３４】
更には、上記基本因子のみならずポート噴射割合Ｒ（噴射割合）をも引数とする吸気通路側パラメータの値を求めるテーブルを作製し、吸気通路側パラメータの値を、同作製されたテーブルから得られる値に決定するように構成してもよい。
【０１３５】
同様に、上記実施形態においては、筒内側パラメータ（Pc，Rc）の値を、上記基本因子のみを引数とする筒内側パラメータの値を求める上記基本テーブルから得られる値に筒内温度Tcに基づく補正係数を乗じることで決定しているが、上記基本テーブルから得られる値に筒内温度Tcに基づく補正値を加算、或いは減算することで決定してもよい。また、上記基本テーブルから得られる値を上記筒内温度Tcに基づく補正値で除算することで決定してもよい。
【０１３６】
更には、上記基本因子のみならず筒内温度Tcをも引数とする筒内側パラメータの値を求めるテーブルを作製し、筒内側パラメータの値を、同作製されたテーブルから得られる値に決定するように構成してもよい。
【０１３７】
また、上記実施形態においては、筒内側パラメータ（Pc，Rc）の値を、上記基本因子のみを引数をする筒内側パラメータの値を求める上記基本テーブルから得られる値に筒内温度Tcに基づく補正係数を乗じることで決定しているが、筒内側パラメータの値を、同基本テーブルから得られる値をポート噴射割合Ｒ（噴射割合）に基づいて補正することで（例えば、同基本テーブルから得られる値にポート噴射割合Ｒに基づく補正係数を乗じることで）決定するように構成してもよい。
【０１３８】
また、上記実施形態においては、筒内温度Tcを上記(4)式等に基づく計算により推定するように構成されているが、筒内温度を検出する筒内温度センサにより筒内温度Tcを物理的に検出するように構成してもよい。
【０１３９】
また、上記実施形態においては、筒内温度Tcとして、燃焼室２５内の平均温度を採用するように構成されているが、筒内温度Tcとして燃焼室２５内の燃焼温度のピーク値（筒内温度ピーク値）を採用するように構成してもよい。この場合、上記(5)式、(6)式における適合係数K1〜K8の値を、上記平均温度を算出するための値から筒内温度ピーク値を算出するための値に変更する必要がある。
【０１４０】
加えて、上記実施形態においては、前記噴射割合として、ポート噴射割合Ｒ（＝fip/(fip+fic)）を採用するように構成されているが、筒内噴射割合（fic/(fip+fic)）を採用するように構成してもよい。また、前記噴射割合として、値「fip/fic」、或いは、値「fic/fip」を採用するように構成してもよい。
【図面の簡単な説明】
【０１４１】
【図１】本発明の実施形態に係る燃料噴射量制御装置を火花点火式多気筒内燃機関に適用したシステムの概略構成図である。
【図２】ポート噴射弁から噴射された燃料が吸気管の壁面部及び吸気弁の傘部に付着する様子と、筒内噴射弁から噴射された燃料が燃焼室構成部材に付着する様子とを概念的に示した図である。
【図３】ポート噴射弁から噴射された燃料量（ポート噴射量）と、吸気管の壁面部への燃料付着量（ポート側付着燃料量）及び吸気弁の傘部への燃料付着量（バルブ側付着燃料量）と、吸気通路を経て筒内に流入する燃料量（筒内流入燃料量）との関係を説明するための図である。
【図４】筒内噴射弁から噴射された燃料量（筒内噴射量）と、燃焼室構成部材への燃料付着量（筒内側実付着燃料量）と、筒内で実際に燃焼する燃料量（筒内燃焼燃料量）との関係を説明するための図である。
【図５】ポート噴射割合と、補正係数（ポート側残留率補正係数、ポート側付着率補正係数、バルブ側残留率補正係数、及びバルブ側付着率補正係数）との関係を示したグラフである。
【図６】筒内温度と、補正係数（バルブ側残留率補正係数、及びバルブ側付着率補正係数）との関係を示したグラフである。
【図７】筒内温度と、補正係数（筒内側残留率補正係数、及び筒内側付着率補正係数）との関係を示したグラフである。
【図８】図１に示したＣＰＵが実行する、ポート噴射量及び筒内噴射量の決定、並びに、ポート噴射及び筒内噴射の実行のためのプログラムの前半部を示したフローチャートである。
【図９】図１に示したＣＰＵが実行する、ポート噴射量及び筒内噴射量の決定、並びに、ポート噴射及び筒内噴射の実行のためのプログラムの後半部を示したフローチャートである。
【図１０】図１に示したＣＰＵが実行する、筒内温度を計算するためのプログラムを 示したフローチャートである。
【符号の説明】
【０１４２】
１０…火花点火式多気筒内燃機関、２１…シリンダ、２２…ピストン、２５…燃焼室、３２…吸気弁、３９Ｃ…筒内噴射弁、３９Ｐ…ポート噴射弁、４１…吸気管、７０…電気制御装置、７１…ＣＰＵ
【図１】
2006322404.tif 000003
【図２】
2006322404.tif 000004
【図３】
2006322404.tif 000005
【図４】
2006322404.tif 000006
【図５】
2006322404.tif 000007
【図６】
2006322404.tif 000008
【図７】
2006322404.tif 000009
【図８】
2006322404.tif 000010
【図９】
2006322404.tif 000011
【図１０】
2006322404.tif 000012